(57)【要約】【課題】車両内装部材を車両内装パネルに簡単に取り付ける。【解決手段】エアインレット２０は、その裏面から延出するように設けられ、天井パネル１０に開設された挿通開口１４を介して該天井パネル１０の裏側に臨む係止部２８,３０を備えている。そして、エアインレット２０は、係止部２８,３０に形成された係止爪３２と天井パネル１０の裏面との間に、該係止爪３２が臨む挿通開口１４を跨いで弾性変形させた状態で差し込んだ弾性体４０によって支持される。【選択図】図１
2015223970.tif 000002
【特許請求の範囲】
【請求項１】
車両内装パネルの表側に車両内装部材を取り付ける取付構造において、
前記車両内装部材の裏面から延出するように設けられ、前記車両内装パネルに開設された挿通開口を介して該車両内装パネルの裏側に臨む係止部と、
前記係止部に形成された係止爪と前記車両内装パネルの裏面との間に、該係止爪が臨む前記挿通開口を跨いで弾性変形させた状態で差し込まれ、前記車両内装部材における車両内装パネルの表側に重なる当接部を車両内装パネルの表面に当接させるように付勢する線材または板材からなる弾性体とを備えた
ことを特徴とする車両内装部材の取付構造。
【請求項２】
前記車両内装部材の裏面には、複数の係止部が設けられ、
前記複数の係止部の並び方向に延在するよう形成された線材からなる前記弾性体は、該複数の係止部に対して、前記車両内装部材の外周縁側に臨む係止部の外側と、該車両内装部材の中心側に臨む係止部の内側とを通るように組み付けられた請求項１記載の車両内装部材の取付構造。
【請求項３】
前記車両内装部材は、前記弾性体の第１延在部を、第１方向に延在するように保持する第１の係止部と、該弾性体において第１延在部から屈曲して該第１延在部と交差する方向に延在する第２延在部を、第１方向と交差する第２方向に延在するように保持する第２の係止部とを備え、
前記第１の係止部の係止爪と前記車両内装パネルの裏面との間に差し込んだ前記第１延在部で前記車両内装部材の一縁辺を支持すると共に、前記第２の係止部の係止爪と車両内装パネルの裏面との間に差し込んだ前記第２延在部で車両内装部材の一縁辺と異なる縁辺を支持するよう構成した請求項１または２記載の車両内装部材の取付構造。
【請求項４】
前記弾性体は、前記係止爪に当接する爪当接部位と前記車両内装パネルの裏面に当接するパネル当接部位とが、車両内装部材への組み付け前の状態において、係止爪と車両内装パネルの裏面との間隔よりも大きく該車両内装パネルの表裏方向にずれるように曲げ形成された請求項１〜３の何れか一項に記載の車両内装部材の取付構造。
【請求項５】
前記係止爪は、前記係止部の延出方向と交差するように該係止部から延出する爪本体と、この爪本体の延出端側に設けられ、前記車両内装部材の裏面に向けて折り返された折返片とを備えた請求項１〜４の何れか一項に記載の車両内装部材の取付構造。
【請求項６】
前記車両内装部材は、前記車両内装パネルに開設された開口部に沿うように設けられた複数の係止部に形成された係止爪と前記車両内装パネルの裏面との間に差し込まれた弾性体による付勢により、該開口部を覆うように該車両内装パネルの表側に取り付けられる請求項１〜５の何れか一項に記載の車両内装部材の取付構造。
【請求項７】
前記車両内装部材は、前記係止部が設けられる縁辺と異なる縁辺裏面に、該裏面に対向するように延在する鉤状に形成された差込部を備え、
前記車両内装パネルに開設された開口部を介して前記車両内装パネルの裏側に差し込んだ前記差込部と該車両内装パネルの表面に当接する前記当接部とによって該車両内装パネルを挟み、前記車両内装部材における前記係止部が設けられる縁辺と異なる縁辺を車両内装パネルに取り付けるよう構成した請求項１〜６の何れか一項に記載の車両内装部材の取付構造。
【発明の詳細な説明】
【技術分野】
【０００１】
この発明は、車両内装部材を車両内装パネルに取り付けるための取付構造に関するものである。
【背景技術】
【０００２】
車両において車室の天井を構成する天井パネルには、エアコンの空気取入口となるエアインレットや照明装置などの各種の車両内装部材が取り付けられている。天井パネルは、発泡体に不織布を積層した積層材などの比較的柔軟な材料で構成されているので、天井パネルに開設された車両内装部材の取付開口部を囲うように、天井パネルの裏面に取り付けたブラケットで補強されている(例えば、特許文献１参照)。そして、車両内装部材は、天井パネルの裏側からブラケットに設けられた通孔を介して該車両内装部材の周縁部に設けられたネジ孔にネジ止めすることで、天井パネルに取り付けられる。
【先行技術文献】
【特許文献】
【０００３】
【特許文献１】特開２０１２−１９２８５１号公報
【発明の概要】
【発明が解決しようとする課題】
【０００４】
前述した車両内装部材の取付構造は、ブラケットを接着剤やレーザーによる溶着などによって天井パネルの裏面に固定する手間がかかると共に、車両内装部材の四辺を複数箇所でネジ止めする手間がかかっている。
【０００５】
すなわち本発明は、従来の技術に係る前記問題に鑑み、これらを好適に解決するべく提案されたものであって、車両内装部材を車両内装パネルに簡単に取り付けることができる取付構造を提供することを目的とする。
【課題を解決するための手段】
【０００６】
前記課題を克服し、所期の目的を達成するため、本願の請求項１に係る発明の車両内装部材の取付構造は、
車両内装パネルの表側に車両内装部材を取り付ける取付構造において、
前記車両内装部材の裏面から延出するように設けられ、前記車両内装パネルに開設された挿通開口を介して該車両内装パネルの裏側に臨む係止部と、
前記係止部に形成された係止爪と前記車両内装パネルの裏面との間に、該係止爪が臨む前記挿通開口を跨いで弾性変形させた状態で差し込まれ、前記車両内装部材における車両内装パネルの表側に重なる当接部を車両内装パネルの表面に当接させるように付勢する線材または板材からなる弾性体とを備えたことを要旨とする。
請求項１に係る発明によれば、係止部に形成された係止爪と車両内装パネルの裏面との間に、該係止爪が臨む挿通開口を跨いで弾性変形させた状態で差し込んだ弾性体によって、車両内装部材における車両内装パネルの表側に重なる当接部を車両内装パネルの表面に当接させるよう付勢している。従って、車両内装部材を、弾性体の付勢によって車両内装パネルに対して強固に取り付けることができる。また、車両内装パネルに開設された挿通開口に臨む係止部の係止爪と車両内装パネルの裏面との間に弾性体を差し込むことで、車両内装部材を車両内装パネルに簡単に取り付けることができる。
【０００７】
請求項２に係る発明では、前記車両内装部材の裏面には、複数の係止部が設けられ、
前記複数の係止部の並び方向に延在するよう形成された線材からなる前記弾性体は、該複数の係止部に対して、前記車両内装部材の外周縁側に臨む係止部の外側と、該車両内装部材の中心側に臨む係止部の内側とを通るように組み付けられたことを要旨とする。
請求項２に係る発明によれば、車両内装部材の裏面に設けられた複数の係止部に対して、該係止部の外側および内側を通るように弾性体を組み付けることで、弾性体の外側に位置する係止部によって弾性体の外側への移動が規制されると共に、弾性体の内側に位置する係止部によって弾性体の内側への移動が規制されることになり、弾性体の内外方向の移動を規制し得る。すなわち、弾性体を車両内装部材に対してずれなく組み付けることができるので、弾性体の付勢力を適切に作用させて、車両内装部材を車両内装パネルにより強固に取り付けることができる。
【０００８】
請求項３に係る発明では、前記車両内装部材は、前記弾性体の第１延在部を、第１方向に延在するように保持する第１の係止部と、該弾性体において第１延在部から屈曲して該第１延在部と交差する方向に延在する第２延在部を、第１方向と交差する第２方向に延在するように保持する第２の係止部とを備え、
前記第１の係止部の係止爪と前記車両内装パネルの裏面との間に差し込んだ前記第１延在部で前記車両内装部材の一縁辺を支持すると共に、前記第２の係止部の係止爪と車両内装パネルの裏面との間に差し込んだ前記第２延在部で車両内装部材の一縁辺と異なる縁辺を支持するよう構成したことを要旨とする。
請求項３に係る発明によれば、単一の弾性体によって、車両内装部材の一縁辺とこの一縁辺と異なる縁辺を支持し得るので、車両内装パネルに対する車両内装部材の取り付けをより簡単にすることができる。
【０００９】
請求項４に係る発明では、前記弾性体は、前記係止爪に当接する爪当接部位と前記車両内装パネルの裏面に当接するパネル当接部位とが、車両内装部材への組み付け前の状態において、係止爪と車両内装パネルの裏面との間隔よりも大きく該車両内装パネルの表裏方向にずれるように曲げ形成されたことを要旨とする。
請求項４に係る発明によれば、弾性体を係止爪と車両内装パネルの裏面に差し込んだ際に、弾性体をより確実に弾性変形させることができ、弾性体による付勢力を適切に作用させて、車両内装部材を車両内装パネルにより強固に取り付けることができる。
【００１０】
請求項５に係る発明では、前記係止爪は、前記係止部の延出方向と交差するように該係止部から延出する爪本体と、この爪本体の延出端側に設けられ、前記車両内装部材の裏面に向けて折り返された折返片とを備えたことを要旨とする。
請求項５に係る発明によれば、係止爪の折返片によって、係止爪と車両内装パネルの裏面との間に差し込んだ弾性体の抜け出しを防止することができる。
【００１１】
請求項６に係る発明では、前記車両内装部材は、前記車両内装パネルに開設された開口部に沿うように設けられた複数の係止部に形成された係止爪と前記車両内装パネルの裏面との間に差し込まれた弾性体による付勢により、該開口部を覆うように該車両内装パネルの表側に取り付けられることを要旨とする。
請求項６に係る発明によれば、車両内装部材の係止爪と車両内装パネルの裏面に差し込んだ弾性体の付勢によって、車両内装部材を車両内装パネルに取り付ける構成であるので、開口部が開設されて比較的脆弱な車両内装パネルであっても、車両内装部材を車両内装パネルに強固に取り付けることができる。
【００１２】
請求項７に係る発明では、前記車両内装部材は、前記係止部が設けられる縁辺と異なる縁辺裏面に、該裏面に対向するように延在する鉤状に形成された差込部を備え、
前記車両内装パネルに開設された開口部を介して前記車両内装パネルの裏側に差し込んだ前記差込部と該車両内装パネルの表面に当接する前記当接部とによって該車両内装パネルを挟み、前記車両内装部材における前記係止部が設けられる縁辺と異なる縁辺を車両内装パネルに取り付けるよう構成したことを要旨とする。
請求項７に係る発明によれば、車両内装部材において係止部が設けられる縁辺と異なる縁辺を、車両内装パネルを挟む差込部によって車両内装パネルに取り付けることで、車両内装パネルに対する車両内装部材の取り付けをより簡単にすることができる。
【発明の効果】
【００１３】
本発明に係る車両内装部材の取付構造によれば、車両内装部材を車両内装パネルに簡単に取り付けることができる。
【図面の簡単な説明】
【００１４】
【図１】本発明の実施例に係るエアインレットを天井パネルに取り付けた状態を、天井パネルの裏側から示す概略斜視図である。
【図２】実施例のエアインレットを、弾性体を組み付けた状態で示す平面図である。
【図３】(ａ)は、実施例のエアインレットを、弾性体を組み付けた状態で示す正面図であり、(ｂ)は実施例の弾性体を示す正面図である。
【図４】(ａ)は、実施例のエアインレットを、弾性体を組み付けた状態で示す右側面図であり、(ｂ)は実施例の弾性体を示す右側面図である。
【図５】実施例のエアインレットを、弾性体を組み付けた状態で示す概略斜視図である。
【図６】図５のＡ部拡大図である。
【図７】図５のＢ部拡大図である。
【図８】図２のＣ−Ｃ線で破断した端面図である。
【図９】エアインレットを天井パネルに取り付けた状態を示す説明図であり、係止爪を有する第１係止部を破断して示す。
【図１０】エアインレットを天井パネルに取り付けた状態を示す説明図であり、エアインレットを前側から見ている。
【発明を実施するための形態】
【００１５】
次に、本発明に係る車両内装部材の取付構造につき、好適な実施例を挙げて、添付図面を参照して以下に説明する。なお、実施例では、車両内装部材としてのエアインレットを、車両内装パネルとしての天井パネルに取り付けるための取付構造を例示する。また、実施例では、車両の上下方向が天井パネル(車両内装部材)の表裏方向に対応し、車両の左右方向(車幅方向)が第１方向に対応し、車両の前後方向が第２方向に対応している。
【実施例】
【００１６】
実施例に係る天井パネル(車両内装パネル)１０(図１参照)は、ポリウレタンフォーム等の発泡体や不織布や合成樹脂シートなどを重ね合わせた積層材からなる板状体であって、該積層材を熱プレスすることで所定形状に賦形されている。天井パネル１０には、該天井パネル１０の裏側に配設されるダクト(図示せず)に連通する開口部１２が、該天井パネル１０を厚み方向に貫通するように開設されており、実施例の開口部１２は、ほぼ矩形状に形成されている。なお、実施例の開口部１２は、長辺が左右方向に延在し、短辺が前後方向に延在している。
【００１７】
図１〜図５に示すように、実施例に係るエアインレット(車両内装部材)２０は、ほぼ矩形状に形成され、前記開口部１２を覆うように天井パネル１０の表側に取り付けられる。エアインレット２０は、ほぼ四角形の枠状に延在する外枠部２２と、この外枠部２２の内側に形成され、外枠部２２の長辺間および短辺間に亘って延在する桟２４ａによって格子状に仕切られた通気部２４とを備えている。エアインレット２０は、天井パネル１０の開口部１２よりひとまわり大きく形成されて、外枠部２２が天井パネル１０における開口部１２の開口縁表側に重なると共に、通気部２４が開口部１２の表側に重なるように配設される。エアインレット２０は、その長辺が開口部１２の長辺に合わせて左右方向に延在し、その短辺が開口部１２の短辺に合わせて左右方向に延在するように、天井パネル１０に取り付けられる。外枠部２２は、通気部２４を囲う内側から外側に向かうにつれて上側(裏側)へ延出するように湾曲して上方に開放する凹状に形成され、エアインレット２０を天井パネル１０に取り付けた際に、外枠部２２の外周縁に設けられた当接部２６が天井パネル１０の表面に突き当たるようになっている(図８および図９参照)。すなわち、実施例の当接部２６は、外枠部２２の外周縁の四辺に設けられ、エアインレット２０の外周全周に亘って延在している。なお、エアインレット２０の外枠部２２において、開口部１２の前開口縁に沿って左右方向に延在する縁辺を前縁辺２２ａといい、開口部１２の後開口縁に沿って左右方向に延在する縁辺を後縁辺２２ｂといい、開口部１２の右開口縁に沿って前後方向に延在する縁辺を右横縁辺２２ｃといい、開口部１２の左開口縁に沿って前後方向に延在する縁辺を左横縁辺２２ｄという。
【００１８】
図１〜図５に示すように、前記エアインレット２０は、外枠部２２の裏面から上方(裏側)へ延出するように設けられ、天井パネル１０に開設された挿通開口１４を介して天井パネル１０の裏側に臨む係止部２８,３０を備えている。なお、実施例の係止部２８,３０は、挿通開口１４を介して天井パネル１０の裏側に突出するように形成されている。エアインレット２０には、外枠部２２の前縁辺２２ａおよび左右の横縁辺２２ｃ,２２ｄの夫々に係止部２８,３０が設けられている。そして、複数の係止部２８,３０のうちの一部(実施例)または全部に形成される鉤状の係止爪３２および複数の係止部２８,３０によって、弾性を有する線材からなる弾性体４０を天井パネル１０の裏側に保持し得るよう構成される。また、エアインレット２０は、外枠部２２において係止部２８,３０が設けられる前および横縁辺２２ａ,２２ｃ,２２ｄと異なる後縁辺２２ｂの裏面に設けられた差込部３４を備えている。エアインレット２０は、差込部３４を天井パネル１０における開口部１２の後開口縁に引っ掛けると共に、前記係止爪３２と天井パネル１０の裏面との間に弾性変形させた状態で差し込んだ弾性体４０による上方(裏側)へ向けた付勢によって、天井パネル１０に取り付けられる(図９および図１０参照)。なお、実施例のエアインレット２０は、外枠部２２、通気部２４、係止部２８,３０、係止爪３２および差込部３４が一体的に形成された合成樹脂の成形品が用いられている。
【００１９】
前記天井パネル１０には、エアインレット２０を取り付けた際の係止部２８,３０の位置に合わせて挿通開口１４が形成されている。実施例では、係止爪３２が形成された係止部２８,３０に対応する挿通開口１４が、開口部１２の開口縁を凹状に切り欠くように形成され、係止爪３２が形成されていない係止部２８に対応する挿通開口１４が、孔状に形成されている(図１および図２参照)。また、挿通開口１４は、エアインレット２０を天井パネル１０への取付位置に合わせた状態で係止部２８,３０の上下方向の通過を許容する大きさで形成され、係止爪３２が形成された係止部２８,３０であれば、係止爪３２の上下方向の通過も許容するように形成される。更に、天井パネル１０には、差込部３４の位置に合わせて、開口部１２の後側開口縁を凹状に切り欠いて差込凹部１６が形成されており(図１および図２参照)、この差込凹部１６により差込部３４の左右方向の位置決めが可能になっている。
【００２０】
図２に示すように、前記エアインレット２０は、弾性体４０の第１延在部４２を、外枠部２２の前縁辺２２ａにおいて左右方向(第１方向)に延在するように保持する第１係止部(第１の係止部)２８を備えている。ここで、外枠部２２における前縁辺２２ａの裏面には、複数(実施例では３つ)の第１係止部２８が左右方向に離間して形成されている。実施例では、前縁辺２２ａの裏面に左右方向に一列に並ぶように設けられた３つの第１係止部２８のうち、左右両側に配置された第１係止部(有爪第１係止部)２８には係止爪３２が形成される一方で、中央部に配置された第１係止部(無爪第１係止部)２８には係止爪３２が形成されていない。また、エアインレット２０は、弾性体４０における第１延在部４２から屈曲して該第１延在部４２と交差する方向に延在する第２延在部４４を、外枠部２２における左右の横縁辺２２ｃ,２２ｄにおいて前後方向(第１方向と交差する第２方向)に延在するように保持する第２係止部(第２の係止部)３０を備えている。外枠部２２における右横縁辺２２ｃの裏面には、前縁辺２２ａ側に偏倚した位置に１つの第２係止部３０が形成されると共に、外枠部２２における左横縁辺２２ｄの裏面には、前縁辺２２ａ側に偏倚した位置に１つの第２係止部３０が形成されている。ここで、左右の第２係止部３０,３０は、通気部２４を挟んで左右の横縁辺２２ｃ,２２ｄに対称な関係で形成されて、実施例では第２係止部３０,３０の何れも係止爪３２が形成されている。
【００２１】
図６および図７に示すように、前記係止部２８,３０は、外枠部２２の裏面から立ち上がる平板部分の一面が平坦に形成されて、この平坦な規制面２８ａ,３０ａが該係止部２８,３０に対して組み付けられる弾性体４０に臨むようになっている。また、係止部２８,３０は、平板部分の他面(規制面２８ａ,３０ａと反対面)と外枠部２２の裏面との間に延在する２条のリブによって支えられており(図２および図５参照)、規制面２８ａ,３０ａ側から押されても係止部２８,３０が変形し難くなっている。そして、係止部２８,３０は、縁辺２２ａ,２２ｃ,２２ｄの延在方向に延在するように配設される弾性体４０に合わせて延在するように規制面２８ａ,３０ａが設定される。すなわち、外枠部２２の前縁辺２２ａに設けられる第１係止部２８であれば、規制面２８ａが上下および左右方向に延在して、前縁辺２２ａの内外方向に面している。また、横縁辺２２ｃ,２２ｄに設けられる第２係止部３０であれば、規制面３０ａが上下および前後方向に延在して、横縁辺２２ｃ,２２ｄの内外方向に面している。ここで、エアインレット２０における縁辺２２ａ,２２ｂ,２２ｃ,２２ｄでの内外方向とは、エアインレット２０の外周縁側に臨む側が外側であり、これと反対のエアインレット２０の中心側に臨む側が内側であり、実施例では開口部１２の開口内外方向に対応している。
【００２２】
前記外枠部２２の前縁辺２２ａに一列に並ぶように配置された複数の第１係止部２８のうち、左右に位置する第１係止部２８,２８は、その規制面２８ａが外側(前側)に向くように形成されると共に、中央部に位置する第１係止部２８は、その規制面２８ａが内側(後側)に向くように形成されている(図５参照)。このように、外枠部２２の前縁辺２２ａに一列に並ぶように配置された複数の第１係止部２８は、規制面２８ａが内外方向に交互に異なる向きに向くように構成されている。そして、前縁辺２２ａでは、複数の第１係止部２８の並び方向となる左右方向に延在する弾性体４０の第１延在部４２が、複数の第１係止部２８に対して規制面２８ａ側を通るように組み付けられる。すなわち、弾性体４０の第１延在部４２は、規制面２８ａが外側を向く左右の第１係止部２８,２８の外側を通ると共に、規制面２８ａが内側を向く中央の第１係止部２８の内側を通り、第１延在部４２が複数の第１係止部２８の内外を交互に通るようになっている。なお、係止爪３２が設けられない中央の第１係止部２８は、係止爪３２が設けられる左右の第１係止部２８および第２係止部３０と比べて、天井パネル１０の裏面からの延出寸法が小さく設定される。
【００２３】
図５に示すように、前記外枠部２２の横縁辺２２ｃ,２２ｄに配置される第２係止部３０は、その規制面３０ａが内側に向くように形成され、右横縁辺２２ｃに配置される右第２係止部３０の規制面３０ａが左側に臨むと共に、左横縁辺２２ｄに配置される左第２係止部３０の規制面３０ａが右側に臨むようになっている。 また、天井パネル１０の開口部１２に沿うように配置された複数の係止部２８,３０は、開口部１２の周方向に隣り合うもの同士の規制面２８ａ,３０ａが内外方向に互い違いに臨むように構成されている(図２参照)。すなわち、右側の第１係止部２８の規制面２８ａが外側を向くのに対して右第２係止部３０の規制面３０ａが内側に向くと共に、左側の第１係止部２８の規制面２８ａが外側に向くのに対して左第２係止部３０の規制面３０ａが内側に向くように設定される。このように、開口部１２の前側開口縁および左右の開口縁を囲うように配設される弾性体４０は、該開口部１２に沿って配置される複数の係止部２８,３０の内外を交互に通るように、該複数の係止部２８,３０に対して組み付けられる。
【００２４】
図６および図７に示すように、前記係止爪３２は、係止部２８,３０における外枠部２２裏面からの延出方向と交差するように該係止部２８,３２から延出する爪本体３２ａと、この爪本体３２ａの延出端側に設けられ、外枠部２２の裏面に向けて折り返された折返片３２ｂとを有する鉤状に形成されている。爪本体３２ａは、係止部２８,３０の延出端から前記規制面２８ａ,３０ａの上側に延在するように内外方向に延出するよう形成され、外枠部２２の裏面に相対している。なお、係止爪３２は、外枠部２２の内外方向の範囲に収まるように形成されている。すなわち、左右の第１係止部２８には、外側を向く規制面２８ａの上側に延在するように外側(前側)に向けて爪本体３２ａが該第１係止部２８から突出形成される。また、第２係止部３０には、内側を向く規制面３０ａの上側に延在するように内側(右第２係止部３０であれば左側、左第２係止部３０であれば右側)に向けて爪本体３２ａが該第２係止部３０から突出形成される。折返片３２ｂは、係止部２８,３０の規制面２８ａ,３０ａと内外方向に相対し、左右の第１係止部２８であれば規制面２８ａの外側(前側)に配置され、第２係止部３０であれば規制面３０ａの内側(右第２係止部３０であれば左側、左第２係止部３０であれば右側)に配置される。
【００２５】
前記係止爪３２は、爪本体３２ａが天井パネル１０の裏側に、該天井パネル１０の裏面と上下方向(表裏方向)に間隔をあけて配置されると共に、折返片３２ａの延出端(下端)と天井パネル１０の裏面との上下方向(表裏方向)の間隔が、弾性体４０の挿通を許容する寸法に設定されている。ここで、爪本体３２ａと天井パネル１０の裏面との間隔は、爪本体３２ａの下面と該爪本体３２ａに近接した天井パネル１０の裏面部位とを垂直面に投影した際の間隔をいう。同様に、折返片３２ｂの下端と天井パネル１０の裏面との間隔は、折返片３２ｂの下端と該折返片３２ｂに近接した天井パネル１０の裏面部位とを垂直面に投影した際の間隔をいう。なお、第１係止部２８および第２係止部３０において、爪本体３２ａの延出向きを除く係止爪３２の基本的な構成は同じであるので、係止爪３２の構成に同じ符号を付してある。
【００２６】
図２に示すように、前記外枠部２２における後縁辺２２ｂの裏面には、複数(実施例では３つ)の差込部３４が左右方向に離間して形成されている。差込部３４は、外枠部２２の裏面から上側(裏側)に向けて延出した後に外側(後側)に屈曲する鉤状に形成されており、後縁辺２２ｂの裏面に対向して内外方向に延在する挟持片３４ａが該後縁辺２２ｂの後縁に左右方向に延在するよう設けられた当接部２６に相対するようになっている(図８参照)。すなわち、差込部３４は、挟持片３４ａが開口部１２の開口外側へ向けて延在するように形成されている。また、差込部３４は、その延出端が外枠部２２における後縁辺２２ｂの後縁よりも後方へ延出している。差込部３４は、挟持片３４ａにおける天井パネル１０の裏面に当接する挟持部位と、後縁辺２２ｂに設けられた当接部２６との上下方向(表裏方向)の間隔が、天井パネル１０の板厚とほぼ同じに設定されている。ここで、挟持片３４ａの挟持部位と当接部２６との間隔は、該挟持片３４ａの挟持部位と該挟持部位に近接する当接部２６とを垂直面に投影した際の間隔をいう。
【００２７】
前記弾性体４０は、金属製の線材からなり、上下方向(裏表方向)および内外方向などの任意の方向に弾性変形可能である。図３(ｂ)および図４(ｂ)に示すように、弾性体４０は、外枠部２２の前縁辺２２ａに合わせて開口部１２の前縁に沿うように延在可能に形成された第１延在部４２と、この第１延在部４２の両端から屈曲して該第１延在部４２と交差する方向に延在する一対の第２延在部４４,４４とを備えている。一対の第２延在部４４,４４は、外枠部２２の左右の横縁辺２２ｃ,２２ｄの夫々に合わせて開口部１２の側縁に沿うように延在可能に形成されている。弾性体４０は、第１延在部４２が開口部１２の左右幅よりも長く、エアインレット２０の左右幅より短く設定されると共に、実施例では第２延在部４４が、横縁辺２２ｃ,２２ｄおよび開口部１２の側縁の前後幅よりも短く、開口部１２の側縁前側の一部範囲にかかるように設定されている(図２参照)。また、弾性体４０は、各第２延在部４４の延出端から屈曲して該第２延在部４４の延在方向と交差するように延在する当て片４６を備えている。実施例では、横縁辺２２ｃ,２２ｄ(開口部１２の側縁)において、当て片４６が第２延在部４４から外側へ向けて天井パネル１０の裏面に沿って延出し、天井パネル１０の裏面に当接するようになっている。このように、弾性体４０は、第１延在部４２および一対の第２延在部４４,４４から略コ字状に形成されると共に、第１延在部４２、一対の第２延在部４４,４４および当て片４６,４６から略ハット形状に形成されている。このように、弾性体４０に当て片４６を設けることで、係止爪３２と天井パネル１０の裏面との間で弾性体４０を安定させることができる。
【００２８】
図１,図９および図１０に示すように、前記弾性体４０は、左右の第１係止部２８および第２係止部３０に形成された係止爪３２と天井パネル１０の裏面との間に、該係止爪３２が臨む挿通開口１４を跨いで弾性変形させた状態で差し込まれ、天井パネル１０の表側に重なる当接部２６を該天井パネル１０の表面に当接させように付勢する構成となっている。ここで、弾性体４０は、第１延在部４２において左右の第１係止部２８,２８の外側を通る部位(爪当接部位)４０ａが該第１係止部２８の係止爪３２で保持されると共に、第２延在部４４において左右の第２係止部３０,３０の内側を通る部位(爪当接部位)４０ａが該第２係止部３０の係止爪３２で保持される。また、弾性体４０は、左右の第１係止部２８,２８の間、右側の第１係止部２８と右側の第２係止部３０との間、左側の第１係止部２８と左側の第１係止部３０との間、右側および左側の第２係止部３０より後側に延出する延出端部の夫々で、天井パネル１０の裏面に当接するようになっている。ここで、弾性体４０は、係止爪３２で保持される爪当接部位４０ａの両側が、該係止爪３２が形成された係止部２８,３０が通る挿通開口１４を挟む天井パネル１０の両側部位に当接するようになっている。このように、第１係止部２８の係止爪３２と天井パネル１０における開口部１２の前縁裏面との間に差し込んだ第１延在部４２でエアインレット２０の前縁辺(一縁辺)２２ａを支持すると共に、第２係止部３０の係止爪３２と天井パネル１０における開口部１２の側縁裏面に差し込んだ第２延在部４４でエアインレット２０の横縁辺(一縁辺と異なる縁辺)２２ｃ,２２ｄを支持している。
【００２９】
前記弾性体４０は、係止爪３２に当接する爪当接部位４０ａと天井パネル１０の裏面に当接するパネル当接部位４０ｂとが、係止爪３２と天井パネル１０との間への組み付け前の状態において、係止爪３２と天井パネル１０の裏面との間隔よりも大きく上下方向(天井パネル１０の表裏方向)にずれるように曲げ形成されている。すなわち、弾性体４０は、上下方向(表裏方向)に縮むように弾性変形した状態で、係止爪３２と天井パネル１０の裏面との間に組み付けられる。なお、係止爪３２と天井パネル１０の裏面との間隔は、係止爪３２における爪本体３２ａの下面と該係止爪３２が設けられた係止部２８,３０に近接する天井パネル１０の裏面とを垂直面に投影した際の間隔をいう。同様に、弾性体４０の爪当接部位４０ａとパネル当接部位４０ｂとのずれ寸法についても、弾性体４０の爪当接部位４０ａとパネル当接部位４０ｂとを垂直面に投影した際の間隔をいう。
【００３０】
前記弾性体４０は、前述したように、開口部１２の開口縁に沿うように配置される複数の係止部２８,３０の外側および内側を交互に通るように、複数の係止部２８,３０に対して組み付けられている。ここで、弾性体４０は、開口部１２の周方向に隣り合う係止部２８,３０の位置関係および／または弾性体４０自体の内外方向の延在位置によって、上下方向だけでなく内外方向にも弾性変形した状態で複数の係止部２８,３０に対して組み付けられる。具体的には、前縁辺２２ａでは、左右の第１係止部２８,２８の規制面２８ａを直線的に結ぶラインに対して、中央の第１係止部２８の規制面２８ａが干渉する関係で配置して、左右の第１係止部２８,２８の規制面２８ａで位置規制された部位に対して、中央の第１係止部２８の規制面２８ａで位置規制された部位がわずかに内側に変位するように設定されている。また、弾性体４０は、第１延在部４２と第２延在部４４とがなす屈曲角を、右側(左側)の第１係止部２８の規制面２８ａから延びる左右方向に沿う延長ラインと右側(左側)の第２係止部３０の規制面３０ａから延びる前後方向に沿う延長ラインとがなす角よりも大きく設定している。これにより、第２延在部４４が、第２係止部３０の規制面３０ａで位置規制されて内側に弾性変形した状態で組み付けられる。
【００３１】
〔実施例の作用〕
次に、実施例の作用について説明する。エアインレット２０における外枠部２２の後縁辺２２ｂに設けられた複数の差込部３４の夫々を、天井パネル１０の開口部１２の後縁に凹状に形成された対応の差込凹部１６に合わせて、該差込部３４の挟持片３４ａを天井パネル１０の裏面に挿入する。エアインレット２０を後側にスライドすることで、差込部３４の挟持片３４ａと外枠部２２の後縁辺２２ｂに設けられた当接部２６との間に天井パネル１０が挟まれて、エアインレット２０の後縁辺２２ｂが天井パネル１０に対して保持される。この際に、左右方向に離間配置された３つの差込部３４に対応して、開口部１２の後縁に左右方向に離間して３箇所に形成された差込凹部１６に、差込部３４に位置合わせすることで、エアインレット２０の取り付け位置を簡単に合わせることができる。
【００３２】
次に、エアインレット２０を天井パネル１０の表面に沿わせた姿勢として、複数の係止部２８,３０を天井パネル１０に開設された挿通開口１４に対応的に挿入する。このとき、エアインレット２０の後縁辺２２ｂが差込部３４による天井パネル１０の挟持により位置決めされているから、複数の係止部２８,３０を挿通開口１４に簡単に合わせることができる。また、挿通開口１４は、係止部２８,３０および係止部２８,３０に形成された係止爪３２を、差込部３４で保持された後縁辺２２ｂを基準にエアインレット２０を姿勢変位した際に表側から裏側に通過可能な大きさで形成されているから、係止部２８,３０および係止爪３２を挿通開口１４に通すために挿通開口１４の開口縁や係止部２８,３０や係止爪３２を変形させる必要はない。すなわち、係止部２８,３０および係止爪３２を挿通開口１４に簡単に挿入することができると共に、取り付けに際して、天井パネル１０や係止部２８,３０や係止爪３２に負荷がかからない。
【００３３】
次に、挿通開口１４を介して天井パネル１０の裏側に臨む複数の係止部２８,３０に対して、弾性体４０を組み付ける。弾性体４０の第１延在部４２を、左右の第１係止部２８,２８の外側に通すと共に中央の第１係止部２８の内側に通し、弾性体４０における左右の第２延在部４４,４４を、左右の第２係止部３０,３０の内側に夫々通す。そして、左右の第１係止部２８,２８に形成された係止爪３２に第１延在部４２を引っ掛けて、第１延在部４２を当該係止爪３２と天井パネル１０における開口部１２の前開口縁裏面との間に差し込む。また、左右の第２係止部３０に形成された係止爪３２に、対応の第２延在部４４を夫々引っ掛けて、一対の第２延在部４４,４４を当該係止爪３２と天井パネル１０における開口部１２の左右開口縁裏面との間に差し込む。エアインレット２０の前縁辺２２ａが、該前縁辺２２ａに設けられた第１係止部２８の係止爪３２と天井パネル１０における開口部１２の前開口縁裏面との間で弾性変形した状態で差し込まれた弾性体４０の第１延在部４２によって、上方(天井パネル１０の裏側)に向けて付勢される。これにより、前縁辺２２ａにおいて天井パネル１０における開口部１２の前開口縁表側に重なる当接部２６が、天井パネル１０の表面に当接した状態で支持され、エアインレット２０の前縁辺２２ａが天井パネル１０に取り付く。また、エアインレット２０の横縁辺２２ｃ,２２ｄが、該横縁辺２２ｃ,２２ｄに設けられた第２係止部３０の係止爪３２と天井パネル１０における開口部１２の横開口縁裏面との間で弾性変形した状態で差し込まれた弾性体４０の第２延在部４４によって、上方(天井パネル１０の裏側)に向けて付勢される。これにより、横縁辺２２ｃ,２２ｄにおいて天井パネル１０における開口部１２の横開口縁表側に重なる当接部２６が、天井パネル１０の表面に当接した状態で支持され、エアインレット２０の横縁辺２２ｃ,２２ｄが天井パネル１０に取り付く。このように、実施例のエアインレット２０は、後縁辺２２ｂが天井パネル１０に引っ掛けた差込部３４で支持されると共に、前縁辺２２ａおよび横縁辺２２ｃ,２２ｄが係止爪３２と天井パネル１０の裏面との間に差し込んだ弾性体４０によって支持されて、天井パネル１０に取り付けられる。
【００３４】
前述した構成のエアインレット２０の取付構造によれば、係止部２８,３０に形成された係止爪３２と天井パネル１０の裏面との間に、該係止爪３２が臨む挿通開口１４を跨いで弾性変形させた状態で差し込んだ弾性体４０によって、エアインレット２０における天井パネル１０の表側に重なる当接部２６を天井パネル１０の表面に当接させるよう付勢している。従って、弾性体４０の付勢によって、エアインレット２０を天井パネル１０に対して強固に取り付けることができる。また、エアインレット２０の係止爪３２と天井パネル１０の裏面に差し込んだ弾性体４０の付勢によって、エアインレット２０を天井パネル１０に取り付ける構成であるので、開口部１２が開設されて比較的脆弱な天井パネル１０であっても、ブラケットなどで開口部１２の開口縁を補強する必要はなく、エアインレット２０を天井パネル１０に強固に取り付けることができる。
【００３５】
前述した構成のエアインレット２０の取付構造によれば、天井パネル１０に開設された挿通開口１４に臨む係止部２８,３０の係止爪３２と天井パネル１０の裏面との間に弾性体４０を差し込むことで、エアインレット２０を天井パネル１０に簡単に取り付けることができる。すなわち、エアインレット２０をネジ止め固定する場合のように、ブラケットなどの天井パネル１０を補強するための部材を必要とせず、エアインレット２０の取り付けに際してドライバなどの工具を必要としない。また、天井パネル１０における開口部１２の開口縁に、エアインレット２０に設けた爪を引っ掛けて取り付ける構成のように、天井パネル１０と係止爪３２とを干渉させる必要はなく、係止部２８,３０および係止爪３２を挿通開口１４に簡単に挿脱させることができる。
【００３６】
しかも、単一の弾性体４０によって、エアインレット２０の前縁辺２２ａおよび左右の横縁辺２２ｃ,２２ｄを支持しているので、天井パネル１０に対するエアインレット２０の取り付けをより簡単に行うことができる。また、エアインレット２０の後縁辺２２ｂを、天井パネル１０を挟む差込部３４によって該天井パネル１０に取り付ける構成とすることで、天井パネル１０に対するエアインレット２０の取り付けをより簡単に行うことができる。
【００３７】
前述した構成のエアインレット２０の取付構造によれば、エアインレット２０の裏面に設けられた複数の係止部２８,３０に対して、該係止部２８,３０の外側および内側を通るように弾性体４０を組み付けてあるので、弾性体４０の外側に位置する係止部２８,３０によって弾性体４０の外側への移動が規制されると共に、弾性体４０の内側に位置する係止部２８によって弾性体４０の内側への移動が規制されることになり、弾性体４０の内外方向の移動を規制し得る。すなわち、弾性体４０をエアインレット２０に対してずれなく組み付けることができるので、弾性体４０の付勢力をエアインレット２０および天井パネル１０に適切に作用させて、エアインレット２０を天井パネル１０により強固に取り付けることができる。
【００３８】
前記弾性体４０は、係止爪３２に当接する爪当接部位４０ａと天井パネル１０の裏面に当接するパネル当接部位４０ｂとが、エアインレット２０への組み付け前の状態において、係止爪３２と天井パネル１０の裏面との間隔よりも大きく該天井パネル１０の表裏方向にずれるように曲げ形成されている。すなわち、係止爪３２と天井パネル１０との間隔に応じて、弾性体４０が予め曲げ形成されているので、弾性体４０を係止爪３２と天井パネル１０の裏面に差し込んだ際に、弾性体４０をより確実に弾性変形させることができ、弾性体４０の付勢力を適切に作用させて、エアインレット２０を天井パネル１０により強固に取り付けることができる。しかも、係止爪３２には、折返片３２ｂが設けられているので、係止爪３２と天井パネル１０の裏面との間に差し込んだ弾性体４０の抜け出しを防止することができる。
【００３９】
(変更例)
前述した実施例の構成に限定されず、例えば以下のようにも変更可能である。
(１)車両内装パネルとして天井パネルを例示したが、サイドトリムやインストルメントパネルなど、その他にも適用可能である。
(２)車両内装部材としてエアインレットを例示したが、エアアウトレットや照明装置やスイッチボックスなど、その他にも適用可能である。
(３)係止部は、車両内装部材の１つの縁辺、２つ以上の縁辺、または全ての縁辺に設けてもよい。車両内装部材の縁辺に設ける係止部は、複数てあっても、１つであってもよい。
(４)車両内装部材を１つの弾性体で支持する構成に限られず、複数の弾性体で支持する構成であってもよい。
(５)弾性体は、複数の係止部を内外方向に交互に通る構成に限られず、２以上の所定数毎に内外を通る構成であってもよい。
(６)実施例では弾性体を線材から構成したが、弾性体を板材で構成してもよい。
【符号の説明】
【００４０】
１０ 天井パネル(車両内装パネル)，１２ 開口部，１４ 挿通開口，
２０ エアインレット(車両内装部材)，２２ａ 前縁辺(一縁辺)，
２２ｂ 後縁辺(係止部が設けられる縁辺と異なる縁辺)，
２２ｃ,２２ｄ 横縁辺(一縁辺と異なる縁辺)，２６ 当接部，
２８ 第１係止部(第１の係止部)，３０ 第２係止部(第２の係止部)，３２ 係止爪，
３２ａ 爪本体，３２ｂ 折返片，３４ 差込部，４０ 弾性体，４２ 第１延在部，
４４ 第２延在部
【図１】
2015223970.tif 000003
【図２】
2015223970.tif 000004
【図３】
2015223970.tif 000005
【図４】
2015223970.tif 000006
【図５】
2015223970.tif 000007
【図６】
2015223970.tif 000008
【図７】
2015223970.tif 000009
【図８】
2015223970.tif 000010
【図９】
2015223970.tif 000011
【図１０】
2015223970.tif 000012